(57)【要約】【課題】従来よりも高いシート着座位置に設定しながらシート取付部の剛性を効率良く向上させ、シート振動の低減及び乗員に与える不安定感の解消を図る。【解決手段】フロアパネル２の上部には、フロアトンネル部２１とサイドシル部２２とを連結するクロスメンバ３Ａ，３Ｂが車両幅方向に沿って配置され、シート６は、シートレール組立体７に取付けられ、該組立体７がシート取付ブラケット８Ａ〜８Ｄを介して左右のクロスメンバ３Ａ，３Ｂ，４Ａ，４Ｂに取付けられ、シート取付ブラケット８Ａ〜８Ｄは、クロスメンバ３Ａ，３Ｂ，４Ａ，４Ｂの上面３Ａａ，３Ｂａ，４Ａａ，４Ｂａより車両上方に延び、シート取付ブラケット８Ａ〜８Ｄの上面８Ａａ〜８Ｄａが、トンネル部２１の上面２１ａよりも高い位置に配置され、車両内側に位置する左右のシート取付ブラケット８Ａ，８Ｂは、トンネル部２１を間に挟んで配置され、左右のシート取付ブラケット８Ａ，８Ｂを連結する連結部材９がトンネル部２１の上方に設けられている。【選択図】図２
2018030438.tif 000002
【特許請求の範囲】
【請求項１】
フロアパネルの車両幅方向の中間部には、車両前後方向に延在するフロアトンネル部が設けられているとともに、前記フロアパネルの車両幅方向の左右両側には、車両前後方向に延在するサイドシル部が設けられ、
前記フロアパネルの上部には、前記フロアトンネル部と前記サイドシル部とを連結する左右のクロスメンバが車両幅方向に沿ってそれぞれ配置され、
左右のシートは、シートレール組立体に取付けられ、該シートレール組立体がシート取付ブラケットを介して前記左右のクロスメンバに取付けられている車両用シートの取付部構造において、
前記シート取付ブラケットは、前記左右のクロスメンバの上面より車両上方に延び、前記シート取付ブラケットの上面が、前記フロアトンネル部の上面よりも高い位置に配置され、
前記シート取付ブラケットのうち、車両内側に位置する左右のシート取付ブラケットは、前記フロアトンネル部を間に挟んで配置され、かつ前記車両内側に位置する左右のシート取付ブラケットを連結する連結部材が前記フロアトンネル部の上方に設けられていることを特徴とする車両用シートの取付部構造。
【請求項２】
前記左右のクロスメンバの両端部の内側には、補強部材がそれぞれ設けられ、前記シート取付ブラケットは、前記補強部材と前記左右のクロスメンバとを挟んだ位置で、前記左右のクロスメンバの上面に設けられていることを特徴とする請求項１に記載の車両用シートの取付部構造。
【請求項３】
前記連結部材は、縦方向に所定の幅を有する部材であり、前記シート取付ブラケットの前面もしくは後面に取付けられる構造を有していることを特徴とする請求項１に記載の車両用シートの取付部構造。
【請求項４】
前記フロアトンネル部を間に挟んで配置される前記左右のシート取付ブラケットと、前記連結部材とは一体に形成され、前記左右のシート取付ブラケットを連結する連結部は、前記フロアトンネル部の上面に接地された状態で固定され、前記連結部の車両幅方向の中央部分は、前記左右のシート取付ブラケットの上面よりも低く、車両下方に凹んだ形状に形成されていることを特徴とする請求項１に記載の車両用シートの取付部構造。
【発明の詳細な説明】
【技術分野】
【０００１】
本発明は、車両用シートの取付部構造に関する。
【背景技術】
【０００２】
従来の車両用シートの取付部構造において、シート取付部の高さは、フロアパンの車両幅方向中央部に設けたトンネル状のバックボーン（フロアトンネル）の上面とほぼ同じ高さ位置に設定されている（例えば、特許文献１参照）。このような従来の取付部構造では、車両用シートの車室中央側（車両幅方向中心側）の固定箇所を支持するシートブラケットをバックボーンの左右両側面などに接合することによって、シート取付部の剛性を確保するように構成されている。
【先行技術文献】
【特許文献】
【０００３】
【特許文献１】特開２０１４−２２７０２９号公報
【発明の概要】
【発明が解決しようとする課題】
【０００４】
しかしながら、上述した従来の車両用シートの取付部構造においては、シート取付部の高さがバックボーンの上面とほぼ同じ高さで、低い位置に設定されているので、着座位置が高いスーパーハイト系車両のシートに適用する場合、シートブラケットがタワー状の倒れやすい構造となる。このため、従来の車両用シートの取付部構造では、シート取付部の剛性が低下し、車両走行中などにおいて、シート振動が発生したり、乗員が不安定感を感じたりするようになる懸念があった。
【０００５】
本発明はこのような実状に鑑みてなされたものであって、その目的は、従来のシート着座位置よりも高いシート着座位置に設定しながらシート取付部の剛性を効率良く向上させ、車両走行中などに発生するシート振動の低減及び乗員に与える不安定感の解消を図ることが可能な車両用シートの取付部構造を提供することにある。
【課題を解決するための手段】
【０００６】
上記従来技術の有する課題を解決するために、本発明は、フロアパネルの車両幅方向の中間部には、車両前後方向に延在するフロアトンネル部が設けられているとともに、前記フロアパネルの車両幅方向の左右両側には、車両前後方向に延在するサイドシル部が設けられ、前記フロアパネルの上部には、前記フロアトンネル部と前記サイドシル部とを連結する左右のクロスメンバが車両幅方向に沿ってそれぞれ配置され、左右のシートは、シートレール組立体に取付けられ、該シートレール組立体がシート取付ブラケットを介して前記左右のクロスメンバに取付けられている車両用シートの取付部構造において、前記シート取付ブラケットは、前記左右のクロスメンバの上面より車両上方に延び、前記シート取付ブラケットの上面が、前記フロアトンネル部の上面よりも高い位置に配置され、前記シート取付ブラケットのうち、車両内側に位置する左右のシート取付ブラケットは、前記フロアトンネル部を間に挟んで配置され、かつ前記車両内側に位置する左右のシート取付ブラケットを連結する連結部材が前記フロアトンネル部の上方に設けられている。
【発明の効果】
【０００７】
上述の如く、本発明に係る車両用シートの取付部構造は、フロアパネルの車両幅方向の中間部には、車両前後方向に延在するフロアトンネル部が設けられているとともに、前記フロアパネルの車両幅方向の左右両側には、車両前後方向に延在するサイドシル部が設けられ、前記フロアパネルの上部には、前記フロアトンネル部と前記サイドシル部とを連結する左右のクロスメンバが車両幅方向に沿ってそれぞれ配置され、左右のシートは、シートレール組立体に取付けられ、該シートレール組立体がシート取付ブラケットを介して前記左右のクロスメンバに取付けられており、前記シート取付ブラケットは、前記左右のクロスメンバの上面より車両上方に延び、前記シート取付ブラケットの上面が、前記フロアトンネル部の上面よりも高い位置に配置され、前記シート取付ブラケットのうち、車両内側に位置する左右のシート取付ブラケットは、前記フロアトンネル部を間に挟んで配置され、かつ前記車両内側に位置する左右のシート取付ブラケットを連結する連結部材が前記フロアトンネル部の上方に設けられているので、次のような効果を得ることができる。
すなわち、本発明の取付部構造においては、上面がフロアトンネル部の上面よりも高く位置し、かつ車両内側に位置する左右のシート取付ブラケットがフロアトンネル部を間に挟んで配置され、フロアトンネル部の上方に設けられた連結部材によって互いに連結されているので、シート取付部の剛性を向上させることができる。したがって、シート着座位置を高く設定するスーパーハイト系車両などに適用しても、シート取付部の変形を抑えるとともに、シート取付ブラケットの横倒れを防止することができる。しかも、車両走行中などに発生するシート振動を低減させ、シートに着座した乗員の不安定感を解消し、安定した乗り心地を確保することができる。
【図面の簡単な説明】
【０００８】
【図１】本発明の第１実施形態に係る車両用シートの取付部構造が適用されたシート取付部付近を車両前方から見た斜視図である。
【図２】図１におけるＸ部の拡大斜視図である。
【図３】図１におけるシート取付部付近を車両前方から見た正面図である。
【図４】本発明の第２実施形態に係る車両用シートの取付部構造が適用されたシート取付部を車両前方斜め上から見た斜視図である。
【図５】本発明の第１実施形態の変形例に係る車両用シートの取付部構造が適用されたシート取付部を車両後方斜め上から見た斜視図である。
【発明を実施するための形態】
【０００９】
以下、本発明を図示の実施の形態に基づいて詳細に説明する。
図１〜図５は本発明の実施形態に係る車両用シートの取付部構造を示すものである。なお、図において、矢印Ｆｒ方向は車両前方を示し、矢印Ｉ方向は車両幅方向内側を示し、矢印Ｕ方向は車両上方を示している。
【００１０】
［第１実施形態］
図１〜図３は、本発明の第１実施形態に係る車両用シートの取付部構造を示している。
本発明の第１実施形態に係る車両用シートの取付部構造が適用される車両１は、図１〜図３に示すように、シート着座位置が高い車両（例えば、スーパーハイト系車両）であり、車室床面を構成するフロアパネル２を備えている。フロアパネル２の車両幅方向の中央部（車両幅方向の中間部）には、車両前後方向に延在するフロアトンネル部２１が設けられている。このフロアトンネル部２１は、車両上方へ向けて突出した断面略台形状に形成されており、運転席側の床面と助手席の床面とを二分するように、フロアパネル２の面上に設けられている。そして、フロアパネル２の車両幅方向の左右両側には、車両前後方向に延在するサイドシル部２２が設けられている。
【００１１】
フロアパネル２の上部には、図１〜図３に示すように、フロアトンネル部２１とサイドシル部２２とを連結する左右の前側クロスメンバ３Ａ，３Ｂ及び後側クロスメンバ４Ａ，４Ｂが、車両前後に所定の間隔を空けながら車両幅方向に沿って同じ位置にそれぞれ配置されている。前側クロスメンバ３Ａ，３Ｂ及び後側クロスメンバ４Ａ，４Ｂは、前後左右の端部にフランジ部３ａ，３ｂ，４ａ，４ｂを有する断面略ハット型形状の縦壁であり、これらフランジ部３ａ，３ｂ，４ａ，４ｂをフロアパネル２の上面、フロアトンネル部２１の傾斜面及びサイドシル部２２の室内側側面にスポット溶接などで接合して取付けることにより、フロアパネル２の上部に立設されている。しかも、左右の前側クロスメンバ３Ａ，３Ｂ及び後側クロスメンバ４Ａ，４Ｂの上面は、フロアトンネル部２１の上面２１ａとほぼ同じ高さ位置に設定されている。
なお、フロアトンネル部２１の内側には、左右の前側クロスメンバ３Ａ，３Ｂ及び後側クロスメンバ４Ａ，４Ｂと同じ位置にブレース５が設けられており、該ブレーシ５によって、当該箇所に位置するフロアトンネル部２１の剛性が高められている。
【００１２】
一方、本実施形態の車両１の車室内には、図１及び図２に示すように、着座位置の高い車両用シート６が搭載されている。車両用シート６は、車室内の車両前方側に設けられる前席シートであり、車両幅方向の左右両側に配置される助手席側の前席シート６Ａ及び運転席側の前席シート６Ｂから構成されている。これら前席シート６Ａ，６Ｂの下部は、車両幅方向に一定の間隔を空けて設けられる一対のシートレール組立体７にそれぞれ取付けられている。そして、シートレール組立体７は、車両内側に位置する左右のシート取付ブラケット８Ａ，８Ｂと、車両外側に位置する左右のシート取付ブラケット８Ｃ，８Ｄを介して、左右の前側クロスメンバ３Ａ，３Ｂ及び後側クロスメンバ４Ａ，４Ｂに取付けられている。
【００１３】
本実施形態のシート取付ブラケット８Ａ〜８Ｄは、図１〜図３に示すように、左右の前側クロスメンバ３Ａ，３Ｂ及び後側クロスメンバ４Ａ，４Ｂの上面３Ａａ，３Ｂａ，４Ａａ，４Ｂａより車両上方に向かって延びており、シート取付ブラケット８Ａ〜８Ｄの上面８Ａａ〜８Ｄａがフロアトンネル部２１の上面２１ａよりも高い位置に配置されている。そのため、シート取付ブラケット８Ａ〜８Ｄは、上面部が閉じた四角錐形の筒状体であり、起立した状態でそれぞれ設けられている。そして、前側クロスメンバ３Ａ，３Ｂ及び後側クロスメンバ４Ａ，４Ｂの上面３Ａａ，３Ｂａ，４Ａａ，４Ｂａからのシート取付ブラケット８Ａ〜８Ｄの高さは、安定性などを確保する観点から、フロアパネル２からフロアトンネル部２１の上面２１ａまでの高さの約半分に設定されている。
【００１４】
また、シート取付ブラケット８Ａ〜８Ｄのうち、車両内側に位置する左右のシート取付ブラケット８Ａ，８Ｂは、フロアトンネル部２１を挟んで対向して配置されている。しかも、車両内側に位置する左右のシート取付ブラケット８Ａ，８Ｂは、連結部材９によって連結されており、左右のシート取付ブラケット８Ａ，８Ｂが連結部材９を介して一体化されている。この連結部材９は、フロアトンネル部２１の上方に設けられ、該フロアトンネル部２１を跨いで車両幅方向に延在して配置されている。
さらに、連結部材９は、縦方向に所定の幅を有する部材であり、左右両端部が溶接（またはボルト締結）などによって、シート取付ブラケット８Ａ，８Ｂの前面（もしくは後面）の上部に取付けられる構造を有している。
【００１５】
また、本実施形態の取付部構造において、左右の前側クロスメンバ３Ａ，３Ｂ及び後側クロスメンバ４Ａ，４Ｂの両端部の内側には、図３に示すように、シート取付ブラケット８Ａ〜８Ｄの取付部の剛性を高める補強部材１０Ａ〜１０Ｄがそれぞれ設けられている。補強部材１０Ａ〜１０Ｄは、配置される左右の前側クロスメンバ３Ａ，３Ｂ及び後側クロスメンバ４Ａ，４Ｂの端部及びフロアトンネル部２１の側面と対応する外形及び断面形状を有し、クロスメンバ３Ａ，３Ｂ，４Ａ，４Ｂの端部及びフロアトンネル部２１の側面に沿って配置した状態で、取付けられるようになっている。そして、シート取付ブラケット８Ａ〜８Ｄは、補強部材１０Ａ〜１０Ｄと、左右の前側クロスメンバ３Ａ，３Ｂ及び後側クロスメンバ４Ａ，４Ｂとを挟んだ位置で、これら左右の前側クロスメンバ３Ａ，３Ｂ及び後側クロスメンバ４Ａ，４Ｂの上面３Ａａ，３Ｂａ，４Ａａ，４Ｂａに設けられている。
そのため、シート取付ブラケット８Ａ〜８Ｄの下部開口周縁の前後部分は、下方へ延設した前後フランジ部８Ａｂ〜８Ｄｂを前側クロスメンバ３Ａ，３Ｂ及び後側クロスメンバ４Ａ，４Ｂの前後面に補強部材１０Ａ〜１０Ｄを介して接合されて取付けられている。また、シート取付ブラケット８Ａ〜８Ｄの下部開口周縁の左右両側部分は、車両幅方向へ延設した左右フランジ部８Ａｃ〜８Ｄｃを前側クロスメンバ３Ａ，３Ｂ及び後側クロスメンバ４Ａ，４Ｂの上面３Ａａ，３Ｂａ，４Ａａ，４Ｂａに補強部材１０Ａ〜１０Ｄを介して接合されて取付けられている。
【００１６】
このように、本発明の第１実施形態に係る車両用シート６の取付部構造では、フロアトンネル部２１とサイドシル部２２とを連結するクロスメンバ３Ａ，３Ｂ，４Ａ，４Ｂが車両幅方向に沿ってフロアパネル２の上部に配置され、車両用シート６の前席シート６Ａ，６Ｂがシートレール組立体７に取付けられ、シートレール組立体７がシート取付ブラケット８Ａ〜８Ｄを介して左右のクロスメンバ３Ａ，３Ｂ，４Ａ，４Ｂに取付けられ、シート取付ブラケット８Ａ〜８Ｄは、クロスメンバ３Ａ，３Ｂの上面より車両上方に延びている。さらに、シート取付ブラケット８Ａ〜８Ｄの上面８Ａａ〜８Ｄａは、フロアトンネル部２１の上面２１ａよりも高い位置に配置され、車両内側に位置する左右のシート取付ブラケット８Ａ，８Ｂは、フロアトンネル部２１を間に挟んで配置され、かつ左右のシート取付ブラケット８Ａ，８Ｂを連結する連結部材９がフロアトンネル部２１の上方に設けられている。
そのため、第１実施形態の取付部構造においては、上面８Ａａ〜８Ｄａがフロアトンネル部２１の上面２１ａよりも高く位置し、かつ車両内側に位置する左右のシート取付ブラケット８Ａ，８Ｂがフロアトンネル部２１を間に挟んで配置され、フロアトンネル部２１の上方に設けられた連結部材９によって連結され、一体化した構造となっているので、シート取付部の剛性を向上させることができる。したがって、第１実施形態の取付部構造によれば、シート着座位置の高いスーパーハイト系車両などに適用した場合でも、シート取付部に加わる荷重を連結部材９で支えることが可能となり、シート取付部の変形を抑えることができるとともに、シート取付ブラケット８Ａ，８Ｂの横倒れを効果的に防止できる。しかも、車両１の走行中などに発生するシート振動を低減させることが可能になるので、車両用シート６の前席シート６Ａ，６Ｂに着座した乗員の不安定感を解消でき、安定した乗り心地を確保することができる。
【００１７】
また、第１実施形態の取付部構造においては、左右の前側クロスメンバ３Ａ，３Ｂ及び後側クロスメンバ４Ａ，４Ｂの両端部の内側に補強部材１０Ａ〜１０Ｄがそれぞれ設けられ、シート取付ブラケット８Ａ〜８Ｄが、補強部材１０Ａ〜１０Ｄと、左右の前側クロスメンバ３Ａ，３Ｂ及び後側クロスメンバ４Ａ，４Ｂとを挟んだ位置で、これら左右の前側クロスメンバ３Ａ，３Ｂ及び後側クロスメンバ４Ａ，４Ｂの上面３Ａａ，３Ｂａ，４Ａａ，４Ｂａに設けられている。
そのため、第１実施形態の取付部構造においては、シート取付ブラケット８Ａ〜８Ｄの取付部の剛性が補強部材１０Ａ〜１０Ｄによって高められることになる。したがって、第１実施形態の取付部構造によれば、荷重が当該シート取付ブラケット８Ａ〜８Ｄの取付部に加わった際に生じる可能性がある左右の前側クロスメンバ３Ａ，３Ｂ及び後側クロスメンバ４Ａ，４Ｂの変形を低減させることができるとともに、シート取付ブラケット８Ａ〜８Ｄの変形を小さくすることができる。
【００１８】
さらに、第１実施形態の取付部構造においては、連結部材９が縦方向に所定の幅を有する部材であり、シート取付ブラケット８Ａ，８Ｂの前面もしくは後面に取付けられる構造を有している。したがって、第１実施形態の取付部構造によれば、シート取付ブラケット８Ａ，８Ｂの左右方向への倒れによる変形に対し連結部材９を効果的に働かせることができ、左右のシート取付ブラケット８Ａ，８Ｂの変形を確実に抑制することができる。
【００１９】
［第２実施形態］
図４は本発明の第２実施形態に係る車両用シートの取付部構造を示すものである。
本発明の第２実施形態に係る取付部構造が第１実施形態の取付部構造と異なる点は、図４に示すように、フロアトンネル部２１を間に挟んで配置される左右のシート取付ブラケット８Ａ，８Ｂと、フロアトンネル部２１を跨いで車両幅方向に延在する連結部材９とが一体に形成された鞍型の構造を有しており、一体型シート取付ブラケット８０として構成されていることである。一体型シート取付ブラケット８０は、左右のシート取付ブラケット８Ａ，８Ｂを形成する左右のブラケット部８０Ａ，８０Ｂと、連結部材９を形成する部分であって、左右のブラケット部８０Ａ，８０Ｂを連結する連結部９０とを有している。また、この連結部９０は、フロアトンネル部２１の上面２１ａに接地された状態で、当該フロアトンネル部２１の上面２１ａを覆うように固定されている。そのため、連結部９０の車両幅方向の中央部分は、左右のブラケット部８０Ａ，８０Ｂの上面８０Ａａ，８０Ｂａよりも低く、車両下方に凹んだ形状に形成されており、下部側がフロアトンネル部２１の上面２１ａと対応した形状を有している。その他の構成は上記第１実施形態と同様であり、これと同一の部材及び部分は同一の符号で示している。
【００２０】
本発明の第２実施形態に係る車両用シートの取付部構造では、フロアトンネル部２１を間に挟んで配置される左右のシート取付ブラケット８Ａ，８Ｂと、連結部材９とが一体に形成され、左右のシート取付ブラケット８Ａ，８Ｂを連結する連結部９０が、フロアトンネル部２１の上面２１ａに接地された状態で固定され、連結部９０の車両幅方向の中央部分が、左右のシート取付ブラケット８Ａ，８Ｂの上面よりも低く、車両下方に凹んだ形状に形成されている。すなわち、左右のブラケット部８０Ａ，８０Ｂと、左右のブラケット部８０Ａ，８０Ｂを連結する連結部９０とが一体化した一体型シート取付ブラケット８０として構成されている。したがって、第１実施形態の取付部構造によれば、シート取付部の剛性を高めることができるとともに、荷重入力時におけるシート取付ブラケット８０や左右前後のクロスメンバ３Ａ，３Ｂ，４Ａ，４Ｂなどの変形をより一層低減させることができる。その他の効果は、上記第１実施形態と同様に得ることができる。
【００２１】
以上、本発明の実施の形態につき述べたが、本発明は既述の実施の形態に限定されるものではなく、本発明の技術的思想に基づいて各種の変形及び変更が可能である。
【００２２】
例えば、既述の第１実施形態における連結部材９は、縦方向に所定の幅を有する部材であり、左右両端部がシート取付ブラケット８Ａ，８Ｂの前面（もしくは後面）に取付けられる構造を有しているが、図５に示すような断面Ｌ字形状の連結部材９Ａ，９Ｂを用いることも可能である。この場合、前方側の連結部材９Ａはシート取付ブラケット８Ａ，８Ｂの上面８Ａａ，８Ｂａ及び前面にボルト締結で取付けられ、後方側の連結部材９Ｂはシート取付ブラケット８Ａ，８Ｂの上面８Ａａ，８Ｂａ及び後面にボルト締結で取付けられている。しかも、シート取付ブラケット８Ａ，８Ｂの上面８Ａａ，８Ｂａでは、シートレール組立体７と連結部材９Ａ，９Ｂとが共締めされる構造となっている。
【符号の説明】
【００２３】
１  車両
２  フロアパネル
３Ａ，３Ｂ  前側クロスメンバ
３Ａａ，３Ｂａ  上面
３ａ，３ｂフランジ部
４Ａ，４Ｂ  後側クロスメンバ
４Ａａ，４Ｂａ  上面
４ａ，４ｂ  フランジ部
６  車両用シート
６Ａ  助手席側の前席シート
６Ｂ  運転席側の前席シート
８Ａ〜８Ｄ  シート取付ブラケット
８Ａａ〜８Ｄａ  上面
８Ａｂ〜８Ｄｂ  前後フランジ部
８Ａｃ〜８Ｄｃ  左右フランジ部
９，９Ａ，９Ｂ  連結部材
１０Ａ〜１０Ｄ  補強部材
２１  フロアトンネル部
２１ａ  上面
２２  サイドシル部
８０  一体型シート取付ブラケット
８０Ａ，８０Ｂ  左右のブラケット部
９０  連結部
【図１】
2018030438.tif 000003
【図２】
2018030438.tif 000004
【図３】
2018030438.tif 000005
【図４】
2018030438.tif 000006
【図５】
2018030438.tif 000007